(57)【要約】【課題】異幅の印刷紙葉類をスムーズに挿入口へ挿入でき、スタッカーへの収容も正確に行なえるとともに、エスクロ作用は複数枚の印刷紙葉類に対して一挙に実行することができるようにした印刷紙葉類の識別装置とする。【解決手段】印刷紙葉類の挿入口の一方端部に幅狭の印刷紙葉類の挿入ガイド部を備え、かつ、前記した挿入口の周域に異幅の印刷紙葉類の挿入方法を指示する表示を施してあることとし、挿入口に続く搬路と、その搬路に続けて相対向して印刷紙葉類の両端部が挿入され、対向方向に回転して印刷紙葉類を放出してスタッカーの受板へ押し付けていく断面Ｓ字形のガイドバーを有する印刷紙葉類の識別装置にあって、前記一対のガイドバー間に配された搬送ベルトの一部に印刷紙葉類のストッパーを固定し、連続して挿入された複数枚の印刷紙葉類を受け、必要に応じて前記搬送ベルトの逆送で前記複数枚の印刷紙葉類を一括して排出するエスクロ機構を備えていることとする。【選択図】          図１
2004280552.tif 000002
【特許請求の範囲】
【請求項１】
印刷紙葉類の挿入口の一方端部に幅狭の印刷紙葉類の挿入ガイド部を備え、かつ、前記した挿入口の周域に異幅の印刷紙葉類の挿入方法を指示する表示を施してあることを特徴とする印刷紙葉類の識別装置。
【請求項２】
前記した表示は着色、文字、図解のうちの一つもしくはそれらの組み合せでなされ、少なくとも幅狭の印刷紙葉類の挿入方法の指示としての着色は前記した挿入ガイド部の着色と同一色を用いてあることを特徴とする請求項１に記載の印刷紙葉類の識別装置。
【請求項３】
前記した挿入ガイド部は少なくともガイド面側の上部にテーパもしくはアールが形成されていることを特徴とする請求項１または請求項２に記載の印刷紙葉類の識別装置。
【請求項４】
前記した挿入ガイド部は弾発部材で附勢され、対向して挿入口を構成する一方のガイドプレートにおいて突出方向に沿って可動とされていることを特徴とする請求項１、請求項２または請求項３に記載の印刷紙葉類の識別装置。
【請求項５】
前記した挿入ガイド部は対向して挿入口を構成するガイドプレートの両方にサイズを異ならせて備えてあることを特徴とする請求項４に記載の印刷紙葉類の識別装置。
【請求項６】
前記した挿入ガイド部は吊持された振子板としたことを特徴とする請求項１または請求項２に記載の印刷紙葉類の識別装置。
【請求項７】
前記したガイドプレートはアッパーガイドとロアガイドとし、少なくともロアガイドの上面は前記した挿入ガイド部に向けて下る傾斜面が形成されていることを特徴とする請求項１、請求項２、請求項３、請求項４、請求項５または請求項６に記載の印刷紙葉類の識別装置。
【請求項８】
挿入口に続く搬路と、その搬路に続けて相対向して印刷紙葉類の両端部が挿入され、対向方向に回転して印刷紙葉類を放出してスタッカーの受板へ押し付けていく断面Ｓ字形のガイドバーを有する印刷紙葉類の識別装置にあって、前記一対のガイドバー間に配された搬送ベルトの一部に印刷紙葉類のストッパーを固定し、連続して挿入された複数枚の印刷紙葉類を受け、必要に応じて前記搬送ベルトの逆送で前記複数枚の印刷紙葉類を一括して排出するエスクロ機構を備えていることを特徴とする印刷紙葉類の識別装置。
【請求項９】
前記した断面Ｓ字状をしたガイドバーの遊端には幅狭の印刷紙葉類に対応する羽根部を備えていることを特徴とする請求項８に記載の印刷紙葉類の識別装置。
【請求項１０】
前記した断面Ｓ字状をしたガイドバーの一次側に、複数枚の印刷紙葉類が搬入される際に、既に受けられている印刷紙葉類の挿入後部を浮かせ、次の印刷紙葉類の受入れを可能とする機構を備えていることを特徴とする請求項８または請求項９に記載の印刷紙葉類の識別装置。
【請求項１１】
前記した機構は搬路を形成する対向したガイドプレートの一方を跨ぎ、先端にフック部を備えたアーム部材とし、そのアーム部材はソレノイド等に取り付けられていることを特徴とする請求項１０に記載の印刷紙葉類の識別装置。
【請求項１２】
前記したアーム部材は全体として略十字に形成されていることを特徴とする請求項１１に記載の印刷紙葉類の識別装置。
【請求項１３】
前記したアーム部材のフック部は他方のガイドプレートに形成された切り欠き溝を通って搬路内に位置することを特徴とする請求項１０、請求項１１または請求項１２に記載の印刷紙葉類の識別装置。
【発明の詳細な説明】
【０００１】
【発明の属する技術分野】
本発明は印刷紙葉類の識別装置、特に紙幣の識別装置に関し、それも金種によって紙幅が異なる紙幣に対応することができるようにした印刷紙葉類の識別装置に関する。
【０００２】
【特許文献】
実用新案登録第２５３１２２６号公報
【０００３】
【発明の背景】
一般的に各国にあって、紙幣は金種が異なっても、その幅は同一とされ、長さが異なっているにすぎないものが多い。そのため、自動販売機、貸出機、両替機、チェッカー等の製品にあってはその挿入口を当初より紙幣の幅に合わせて設定すれば、全ての金種に対応することができるものとなっている。
【０００４】
【発明が解決しようとする課題】
しかしながら、現在世界では中国紙幣やユーロ紙幣等、金種によって異幅とした紙幣の構成をしたものが出現している。この異幅とした紙幣に対し、従前の挿入口で対応させると、幅狭のものはスムーズに直進させることが難しく、よれたり、蛇行してしまう虞もあり、また、販売機等に取り付けられる識別機を想定すると、搬送された紙幣をスタッカーに収容する際にも幅狭のものに対応することが難しくなる事態も生じる。
【０００５】
さらには、自動販売機等にあって、近時は一枚の紙幣のみで商品の価格をクリアすることができる場合ばかりでなく、比較的高額で複数枚の紙幣の投入が必要となってくる商品も現れている。かかる場合に連続して挿入された紙幣に対し、購入キャンセルがあった場合、紙幣を排出返却する機構は複雑となり、時間もかかってしまうものとなっている。
【０００６】
また、前記した特許文献には本発明のうち一部に関与するスタッカーへの収容を行なう断面Ｓ字形をした回転ガイドバーが記載されており、本発明では異幅の紙幣に対応するための工夫を施してある。
【０００７】
【発明の目的】
そこで、本発明は上記した従来の実情、問題点に着目してなされたもので、かかる問題点を解消して、異幅の印刷紙葉類をスムーズに挿入口へ挿入でき、スタッカーへの収容も正確に行なえるとともに、エスクロ作用は複数枚の印刷紙葉類に対して一挙に実行することができるようにした印刷紙葉類の識別装置を提供することを目的としている。
【０００８】
【課題を解決するための手段】
この目的を達成するために、本発明に係る印刷紙葉類の識別装置は印刷紙葉類の挿入口の一方端部に幅狭の印刷紙葉類の挿入ガイド部を備え、かつ、前記した挿入口の周域に異幅の印刷紙葉類の挿入方法を指示する表示を施してあることを特徴とし、前記した表示は着色、文字、図解のうちの一つもしくはそれらの組み合せでなされ、少なくとも幅狭の印刷紙葉類の挿入方法の指示としての着色は前記した挿入ガイド部の着色と同一色を用いてあることを特徴とし、前記した挿入ガイド部は少なくともガイド面側の上部にテーパもしくはアールが形成されていることを特徴とし、前記した挿入ガイド部は弾発部材で附勢され、対向して挿入口を構成する一方のガイドプレートにおいて突出方向に沿って可動とされていることを特徴とし、前記した挿入ガイド部は対向して挿入口を構成するガイドプレートの両方にサイズを異ならせて備えてあることを特徴とし、前記した挿入ガイド部は吊持された振子板としたことを特徴とし、前記したガイドプレートはアッパーガイドとロアガイドとし、少なくともロアガイドの上面は前記した挿入ガイド部に向けて下る傾斜面が形成されていることを特徴としている。
【０００９】
また、本発明に係る印刷紙葉類の識別装置は挿入口に続く搬路と、その搬路に続けて相対向して印刷紙葉類の両端部が挿入され、対向方向に回転して印刷紙葉類を放出してスタッカーの受板へ押し付けていく断面Ｓ字形のガイドバーを有する印刷紙葉類の識別装置にあって、前記一対のガイドバー間に配された搬送ベルトの一部に印刷紙葉類のストッパーを固定し、連続して挿入された複数枚の印刷紙葉類を受け、必要に応じて前記搬送ベルトの逆送で前記複数枚の印刷紙葉類を一括して排出するエスクロ機構を備えていることを特徴としている。
【００１０】
さらに、本発明に係る印刷紙葉類の識別装置は前記した断面Ｓ字状をしたガイドバーの遊端には幅狭の印刷紙葉類に対応する羽根部を備えていることを特徴とし、前記した断面Ｓ字状をしたガイドバーの一次側に、複数枚の印刷紙葉類が搬入される際に、既に受けられている印刷紙葉類の挿入後部を浮かせ、次の印刷紙葉類の受入れを可能とする機構を備えていることを特徴とし、前記した機構は搬路を形成する対向したガイドプレートの一方を跨ぎ、先端にフック部を備えたアーム部材とし、そのアーム部材はソレノイド等に取り付けられていることを特徴とし、前記したアーム部材は全体として略十字に形成されていることを特徴とし、前記したアーム部材のフック部は他方のガイドプレートに形成された切り欠き溝を通って搬路内に位置することを特徴としている。
【００１１】
【作用】
上記した構成としたことによって、異幅とされた複数種の印刷紙葉類に対してスムーズな挿入やスタッカーへの収容が行なえることとなり、また、複数枚の印刷紙葉類の連続挿入及びエスクロ作用が簡単に、かつ、短時間で実行できることとなるのである。
【００１２】
【発明の実施の形態】
次に、本発明の好ましい実施の形態を図面を参照して説明する。図１は本発明の対象を紙幣を想定した識別機の挿入口を示す正面図、図２は同じく要部断面図、図３は同じく別の例を示す正面図、図４は同じく別の例を示す正面図、図５は同じく断面図、図６は同じく別の例を示す正面図、図７は同じく別の例を示す正面図、図８は同じく搬送、エスクロ機構を示す図、図９は同じく紙幣の搬入補助機構を示す側面図、図１０は同じく正面図、図１１は同じくフック部を示す斜視図、図１２は同じく別方向から見た斜視図、図１３は同じくアーム部材の全体を示す斜視図、図１４は同じく回転ガイドバーを示す平面図、図１５は同じく正面図、図１６は同じく搬入、エスクロ機構を示す背面図である。
【００１３】
これらの図にあって１は紙幣の挿入口を示しており、この場合の挿入口１は紙幣を水平方向に挿入することを想定している。２はこの挿入口１及びその挿入口１に続く搬路を構成するアッパーガイドプレート、３はロアガイドプレートを示している。
【００１４】
この挿入口１を構成するロアガイド３の左右いずれか一方側に片寄せて挿入ガイド部４が備えられている。この挿入ガイド部４は挿入される紙幣のガイド面の上方部分にテーパあるいはアール４ａが形成されており、その底部を、本実施の形態にあっては板ばね５で支持され、その挿入ガイド部４の突出方向に沿って上下動するものとされている。前記した板ばね５はその後端をビス６で固定されたものとなっているが、この板ばね５に代えて挿入ガイド部４の底面をコイルスプリング等で支持することもできる。なお、７はストッパー用の突起である。
【００１５】
この挿入口１においては幅広の紙幣Ａは前記した挿入ガイド部４を避けて挿入し、幅狭の紙幣Ｂは側縁を挿入ガイド部４のガイド面に沿わせて挿入することとなる。アッパーガイドプレート２及びロアガイドプレート３の前面には紙幣Ａ及びＢの挿入方法を指示する表示部８ａ・８ｂが設けられ、この表示部８ａ・８ｂには着色、文字、図解等が施される。なお、挿入ガイド部４にも幅狭の紙幣Ｂの挿入方法を指示する表示部８ｂと同色の色彩を施しておくとより一層解り易くすることができる。９ａ・９ｂは紙幣Ａ・Ｂのセンターをガイドする突条である。
【００１６】
また、図３として示すのは、前記した挿入ガイド部４に加え、アッパーガイドプレート２側にも挿入ガイド部４と同様に上下動を可能とした第二の挿入ガイド部１０を備えたものである。この第二の挿入ガイド部１０はその幅サイズを挿入ガイド部４の略半分程度としてある。このことによって、前記した幅広の紙幣Ａと幅狭の紙幣Ｂに加え、その中間の幅とされた第三の紙幣もこの第二の挿入ガイド部１０のガイド面に沿わせることで挿入口１へスムーズな挿入ができることとなる。
【００１７】
さらに、図４、図５として示す例は挿入ガイド部としてアッパーガイドプレート２に振子板１１を吊持したもので、その振子板１１の下端縁とロアガイドプレート３との間にわずかなスペースを設けても、また、その下端縁をロアガイドプレート３の上面に接するようにしてもよく、幅広の紙幣Ａはこの振子板１１を押すようにして挿入される。振子板１１は支持ピン１１ａに上端のパイプ部を挿通するようにして吊持することが想定されるが、この支持部に捩りコイルばね等を介在させてやると振子板１１を強制的に元位置へ復帰させてやることができることともなる。
【００１８】
図６として示す例は、図１、図２として示した例にさらなる工夫を加えたもので、ロアガイドプレート３の上面を挿入ガイド部４の方向へ下る傾斜面３ａとしてある。この傾斜面３ａとしたことによって幅狭の紙幣Ｂを挿入した際に、その幅狭の紙幣Ｂは挿入ガイド部４のガイド面に向けて自然にスライドすることとなり、そのガイド効率が向上されることになる。
【００１９】
また、図７として示すのは最もシンプルな構成となる。この場合にはロアガイドプレート３の上面に挿入ガイド部１２を固定状態で備えたものとしている。幅狭の紙幣Ｂはこの挿入ガイド部１２に沿って挿入し、幅広の紙幣Ａはこの挿入ガイド部１２上を乗り越えるようにして挿入されることとなる。
【００２０】
なお、前記した挿入口１の構成に対応して、その挿入口１に続く搬路に設けられる光学系、磁気系等のセンサー群は異幅の紙幣の各々に対応して検出が行なわれるよう配置されることとなる。
【００２１】
次いで、図８乃至図１６で示すのは紙幣の搬送、収容そしてエスクロの機構である。特に、これらの図は自動販売機に設置される紙幣識別機を示唆しており、その前面に紙幣の挿入口１が設けられている。この挿入口１に続いて挿入された紙幣の搬路１３が形成されている。紙幣の挿入を検知するセンサーからの信号で第一のモータ１４が起動されてローディングメカニズムが稼動する。
【００２２】
第一のモータ１４のモータ軸にはウォームギヤ１５が取り付けられており、このウォームギヤ１５がプーリ１６の軸に取り付けられたギヤ１６ａと噛合しており、プーリ１６を回転させる。このプーリ１６には装置奥方に配備された第二プーリ１７との間でベルト１８が掛け回されており、このベルト１８によって挿入された紙幣はローディングされることとなる。
【００２３】
ここで、１９・１９はプーリ１６、第二プーリ１７と転圧される補助ローラであり、２０はシャッターを示している。このシャッター２０は挿入された紙幣が所定の位置に到達するまでの間、下降して搬路１３を閉塞して、短時間内での紙幣の連続挿入をできないようにするが、仮に紙幣の終端にテープやテグス等の異物が付いている場合、それを下降時にキャッチし、第一のモータ１４を逆転運転することでその紙幣を挿入口１へ排出するセンサーともなる。２１は主として光学系とした紙幣の真贋や金種を識別するセンサー群を示している。
【００２４】
前記した搬路１３は第二プーリ１７を通過した位置から９０度下方へ向かうように構成されている。この部分で、搬路１３を挟んだ左右に一対の断面Ｓ字状とした回転ガイドバー２２・２２が設けられており、紙幣はその両縁部分をこの回転ガイドバー２２・２２の溝へ挿入されている。その際の送り作業はプーリ２３・２３に掛け回されたベルト２４によりなされ、紙幣の走行方向の転換は補助ローラ２５によって、及びアッパーガイドプレート２、ロアガイドプレート３の屈曲によってなされる。
【００２５】
前記した回転ガイドバー２２・２２は図１４に示すように相対向して内側方向へ回転し、溝に挿入された紙幣を放出するが、当初、回転ガイドバー２２・２２の外面はスタッカー２６にコイルスプリング２７で前方へ押圧附勢されている紙幣の受板２８に当接されており、回転しての放出によって紙幣Ａ・Ｂを順次この受板２８へ押し付け、スタッカー２６内に収容していく。スタッカー２６はその下端後方でピン２９によって枢支されており、想像線で示すように傾倒された状態で収容された紙幣Ａ・Ｂを回収することができるようになっている。
【００２６】
また、回転ガイドバー２２・２２の溝を形成する遊端にはフレキシブルなプラスチックやゴム等で成形された補助羽根体３０・３０‥が所定のピッチで複数取り付けられている。これは幅狭の紙幣Ｂが送り込まれた際に、回転して受板２８へ押し付ける作業で遊端が紙幣Ｂへ届かなくなってしまうことを防止するためのもので、異幅の紙幣を正確にスタッカー２６内へ収容させるためのものとなっている。なお、２２ａは回転ガイドバー２２の回転支持ボス、２２ｂ・２２ｂ‥は駆動ギヤ３１との嵌合ボスである。
【００２７】
さらに、前記した一対の回転ガイドバー２２・２２間には複数枚の連続して挿入された紙幣を、キャンセルがあった場合にまとめて排出返却するエスクロ機構が設けられている。このエスクロ機構はボトムプレート３２より下方に取り付けられた第二モータ３３によって稼動する。この第二モータ３３のモータ軸にはウォームギヤ３４が取り付けられており、このウォームギヤ３４がプーリ３５の軸に取り付けられたギヤ３６と噛合され、このプーリ３５を回転させる。
【００２８】
前記したプーリ３５と、その上方に配置されたプーリ３７の間にはベルト３８が掛け回されており、このベルト３８の一部には挿入された紙幣の挿入先端を受けるストッパー部材３９が固着されており、このストッパー部材３９はベルト３８の回動に伴なって上下動する。
【００２９】
このストッパー部材３９の位置は、プリント回路基板４０に搭載されたＣＰＵ４１と電気的に接続されている切換スイッチ４２の操作によって決定される。例えば商品購入に際して千円札等一枚の紙幣で済む場合にはストッパー部材３９は図中実線で示す位置、即ちボトムプレート３２より下方にスタンバイされており、前記した手順でその千円札はスタッカー２６へ収納されていく。
【００３０】
切換スイッチ４２の入力によって複数枚の紙幣が挿入される場合、ストッパー部材３９は当初の位置から数ｃｍ上昇した位置でスタンバイする。そして、連続して挿入、搬送されて来た紙幣の挿入先端を順次受け止めることとなる。ここで、購入ボタンがＯＮされると、その複数枚の紙幣はまとめて回転ガイドバー２２・２２の回転により受板２８へ押し付けられ、スタッカー２６へ収容される。
【００３１】
また、前記した状態からキャンセルボタンが入力されると、第二モータ３３が駆動し、ベルト３８を回転させて、ストッパー部材３９をさらに上昇させていく。この上昇によって複数枚重合してストッパー部材３９に受け止められていた紙幣はまとめて搬路３を逆走して挿入口１から排出返却されることとなる。
【００３２】
さらに、前記したまとめての収容や、エスクロに先立って連続して順次紙幣を送り込む機構について説明する。即ち、単に連続して紙幣を挿入すると、ストッパー部材３９で受け止められている先行する紙幣の挿入後端が邪魔となり続く紙幣が入っていくことができない。本実施の形態にあってはソレノイド４３のピン４３ａの先端に固着させたアーム部材４４が使用される。
【００３３】
このアーム部材４４は略十字状に成形されており、その縦部はやや湾曲された形状とされ、横部はその先端を略直角に屈曲し、その端部に紙幣の縁端を引っ掛けるフック部４４ａ・４４ａが一体に形成されている。このアーム部材４４、特にその横部はアッパーガイドプレート２を跨ぐように配置され、フック部４４ａ・４４ａはロアガイドプレート３に形成された切り欠き溝３ａ・３ａから搬路１３へ臨まされている。
【００３４】
この機構は二枚目以降の紙幣が挿入、搬送される際、ソレノイド４３が作用してピン４３ａを引き込む、そのピン４３ａの引き込みにより、その先端に固定されているアーム部材４４も可動し、フック部４４ａ・４４ａが先行してストッパー部材３９に受け止められている紙幣の挿入後端を引き上げ、続く紙幣が搬入されるべきスペースＳを形成することとなる。
【００３５】
本実施の形態は上記のように構成されている。挿入口１は、この実施の形態にあって水平方向の挿入のものを想定しているが、縦方向の挿入にも勿論応用でき、その場合、振子板１１を用いるのはスイングドアタイプとされればよい。また、搬路１３も途中で屈曲させずストレートなものであっても本実施の形態と同様の機構を用いることができる。また、本実施の形態は紙幣を対象物として想定しているが、その他商品券、ビール券、チケット類等の多くの印刷紙葉類を対象とすることが可能である。
【００３６】
【発明の効果】
本発明に係る印刷紙葉類の識別装置は上述のように構成され、作用する。そのため、異幅の印刷紙葉類であってもスムーズに、かつ、正確に挿入でき、収容することができる。また、複数枚の印刷紙葉類の連続挿入も、順次受け止めながらスムーズに実行でき、まとめての排出返却も一挙に短時間で実行することができるものとなっている。
【図面の簡単な説明】
【図１】本発明の対象を紙幣を想定した識別機の挿入口を示す正面図である。
【図２】要部断面図である。
【図３】別の例を示す正面図である。
【図４】別の例を示す正面図である。
【図５】断面図である。
【図６】別の例を示す正面図である。
【図７】別の例を示す正面図である。
【図８】搬送、エスクロ機構を示す図である。
【図９】紙幣の搬入補助機構を示す側面図である。
【図１０】正面図である。
【図１１】フック部を示す斜視図である。
【図１２】別方向から見た斜視図である。
【図１３】アーム部材の全体を示す斜視図である。
【図１４】回転ガイドバーを示す平面図である。
【図１５】正面図である。
【図１６】搬入、エスクロ機構を示す背面図である。
【符号の説明】
１  挿入口
２  アッパーガイドプレート
３  ロアガイドプレート
４  挿入ガイド部
４ａ  テーパあるいはアール
５  板ばね
６  ビス
７  突起
８ａ  表示部
８ｂ  表示部
９ａ  突条
９ｂ  突条
１０  第二の挿入ガイド部
１１  振子板
１１ａ  支持ピン
１２  挿入ガイド部
１３  搬路
１４  第一のモータ
１５  ウォームギヤ
１６  プーリ
１６ａ  ギヤ
１７  第二プーリ
１８  ベルト
１９  補助ローラ
２０  シャッター
２１  センサー群
２２  回転ガイドバー
２３  プーリ
２４  ベルト
２５  補助ローラ
２６  スタッカー
２７  コイルスプリング
２８  受板
２９  ピン
３０  補助羽根体
３１  駆動ギヤ
３２  ボトムプレート
３３  第二モータ
３４  ウォームギヤ
３５  プーリ
３６  ギヤ
３７  プーリ
３８  ベルト
３９  ストッパー部材
４０  プリント回路基板
４１  ＣＰＵ
４２  切換スイッチ
４３  ソレノイド
４３ａ  ピン
４４  アーム部材
４４ａ  フック部
Ａ  幅広の紙幣
Ｂ  幅狭の紙幣
Ｓ  スペース
【図１】
2004280552.tif 000003
【図２】
2004280552.tif 000004
【図３】
2004280552.tif 000005
【図４】
2004280552.tif 000006
【図５】
2004280552.tif 000007
【図６】
2004280552.tif 000008
【図７】
2004280552.tif 000009
【図８】
2004280552.tif 000010
【図９】
2004280552.tif 000011
【図１０】
2004280552.tif 000012
【図１１】
2004280552.tif 000013
【図１２】
2004280552.tif 000014
【図１３】
2004280552.tif 000015
【図１４】
2004280552.tif 000016
【図１５】
2004280552.tif 000017
【図１６】
2004280552.tif 000018